(57)【要約】  【課題】  小型構造であるにも拘らず、配線作業・管理を容易に行えるようなユニット式分電盤を提供することにある。  【解決手段】  交流用分電盤ユニット３０および直流用分電盤ユニット４０を収容するラック本体１０と、このラック本体１０内の背面側に配置された交流用ブスバー７０および直流用ブスバー８０と、交流用ブスバー７０に接続される交流用接続部５０と、直流用ブスバー８０に接続される直流用接続部６０と、を備え、交流用分電盤ユニット３０をラック本体１０内に押し込むと交流用接続部５０に接続された状態で収容され、また、直流用分電盤ユニット４０をラック本体１０内に押し込むと直流用接続部６０に接続された状態で収容されるような分電盤ユニット１とした。【選択図】  図１
0003113266.tif 000002
【実用新案登録請求の範囲】
【請求項１】
前面に操作部を有する分電盤ユニットと、
開口部が前面に形成され、開口部に操作部が位置するように分電盤ユニットを二個以上収容するラック本体と、
ラック本体内の側面に設けられ、分電盤ユニットをスライド移動させる誘導支持部と、
ラック本体内の背面側に配置されたブスバーと、
ブスバーに電気的に接続されるコネクタ部と、
分電盤ユニット内の内部回路に電気的に接続される被コネクタ部と、
を備え、
分電盤ユニットをラック本体内に押し込んで、誘導支持部により分電盤ユニットをスライド移動させ、コネクタ部に被コネクタ部が接続された状態で収容されることを特徴とするユニット式分電盤。
【請求項２】
請求項１記載のユニット式分電盤において、
前記ブスバーと開口部との間に配置される絶縁仕切り部を備え、
前記コネクタ部は、絶縁仕切り部に取付けられることを特徴とするユニット式分電盤。
【請求項３】
請求項１または請求項２に記載のユニット式分電盤において、
上下で絶縁支持部により支持固定されて立設されたブスバーには、上下に並んで多数のコネクタ部が電気的に接続されており、ラック本体には上下に並んで多段の増設スペースが設けられることを特徴とするユニット式分電盤。
【請求項４】
請求項１〜請求項３の何れか一項に記載のユニット式分電盤において、
前記ブスバーは、交流用ブスバーと、直流用ブスバーと、を並列して配置し、
前記コネクタ部は、交流用ブスバーに電気的に接続された交流用のコネクタ部と、直流用ブスバーに電気的に接続された直流用のコネクタ部と、を並列して配置し、
前記分電盤ユニットは、交流用の被コネクタ部が設けられた交流用分電盤ユニットと、直流用の被コネクタ部が設けられた直流用分電盤ユニットと、であって交流と直流とで取付け位置を異ならせて配置することを特徴とするユニット式分電盤。
【考案の詳細な説明】
【技術分野】
【０００１】
本考案は、ユニット化された分電盤、配電盤、分岐盤、制御盤等（以下総称して単に「分電盤」という）であるユニット（以下、総称して「分電盤ユニット 」という）を適数個にわたり搭載してなるラックマウント型のユニット式分電盤に関するものである。
【背景技術】
【０００２】
ユニット式分電盤は、各種の従来技術が存在し、例えば、登録実用新案第３０２４４５２号公報に記載のユニット式分電盤が知られている。
このユニット式分電盤は、母線の電源を断にすることなく活線状態のまま作業できるようにし、感電、短絡事故を防ぎ、しかも、短時間にユニットの取付、取り外しを可能とすることを目的にするものである。
【０００３】
そこで、 盤ケーシング本体内部に複数のブスバーを縦方向に配設し、ブスバーの周囲を覆う母線ケースを設け、この母線ケース及び盤ケーシング本体内部他側方に設けた垂直支柱にそれぞれ所定高さ毎にユニット取付穴を設け、母線ケースの内側部にシャッター付きのブスバー接続口を所定高さ毎に設け、母線ケース及び垂直支柱に設けられたユニット取付穴によって固定される断路ユニットに、ブスバー接続口を通して母線ケース内のブスバーに接触する可動接触子を接離可能に設けた断路ブロックを取り付け、かつ断路ユニットに、遮断器や計器などの電気機器を取り付けたものである。
【考案の開示】
【考案が解決しようとする課題】
【０００４】
従来技術のユニット式分電盤では、内側部にユニット取付穴があるため、取り付けるときに力が入れにくく、取り付けにくいという問題があった。
また、断路ユニットを収納する空間と、取り付けに必要な空間と、が必要となりユニット式分電盤が横方向に広く、小型化が図れないという問題もあった。
また、取り付け構造や取付け動作をより簡単にしたいという要請があった。
【０００５】
本考案は上記した課題を解決するためになされたものであり、その目的は、小型構造であるにも拘らず、配線作業・管理を容易に行えるようなユニット式分電盤を提供することにある。
【課題を解決するための手段】
【０００６】
本考案の請求項１に係るユニット式分電盤は、
前面に操作部を有する分電盤ユニットと、
開口部が前面に形成され、開口部に操作部が位置するように分電盤ユニットを二個以上収容するラック本体と、
ラック本体内の側面に設けられ、分電盤ユニットをスライド移動させる誘導支持部と、
ラック本体内の背面側に配置された所定数のブスバーと、
ブスバーに電気的に接続されるコネクタ部と、
分電盤ユニット内の内部回路に電気的に接続される被コネクタ部と、
を備え、
分電盤ユニットをラック本体内に押し込んで、誘導支持部により分電盤ユニットをスライド移動させ、コネクタ部に被コネクタ部が接続された状態で収容されることを特徴とする。
【０００７】
また、本考案の請求項２に係るユニット式分電盤は、
請求項１記載のユニット式分電盤において、
前記ブスバーと開口部との間に配置される絶縁仕切り部を備え、
前記コネクタ部は、絶縁仕切り部に取付けられることを特徴とする。
【０００８】
また、本考案の請求項３に係るユニット式分電盤は、
請求項１または請求項２に記載のユニット式分電盤において、
上下で絶縁支持部により支持固定されて立設されたブスバーには、上下に並んで多数のコネクタ部が電気的に接続されており、ラック本体には上下に並んで多段の増設スペースが設けられることを特徴とする。
【０００９】
また、本考案の請求項４に係るユニット式分電盤は、
請求項１〜請求項３の何れか一項に記載のユニット式分電盤において、
前記ブスバーは、交流用ブスバーと、直流用ブスバーと、を並列して配置し、
前記コネクタ部は、交流用ブスバーに電気的に接続された交流用のコネクタ部と、直流用ブスバーに電気的に接続された直流用のコネクタ部と、を並列して配置し、
前記分電盤ユニットは、交流用の被コネクタ部が設けられた交流用分電盤ユニットと、直流用の被コネクタ部が設けられた直流用分電盤ユニットと、であって交流と直流とで取付け位置を異ならせて配置することを特徴とする。
【考案の効果】
【００１０】
以上のような本考案によれば、小型構造であるにも拘らず、配線作業・管理を容易に行えるようなユニット式分電盤を提供することができる。
【考案を実施するための最良の形態】
【００１１】
以下、本考案を実施するための最良の形態のユニット式分電盤について図を参照しつつ説明する。図１は本形態のユニット式分電盤の外観図であって、図１（ａ）は正面図、図１（ｂ）は右側断面図である。図２は同じくユニット式分電盤の外観図であって、図２（ａ）は正面図、図２（ｂ）は背面図である。図３は絶縁仕切り部を取り去った場合のユニット式分電盤の外観図であって、図３（ａ）は正面図、図３（ｂ）は背面図である。図４は交流用接続部および直流用接続部の構成斜視図である。図５は交流用接続部および直流用接続部の構成図であり、図５（ａ）は平面図、図５（ｂ）は背面図である。図６は分電盤ユニットの取付け説明図である。
【００１２】
ユニット式分電盤１は、ラック本体１０、入力端子ユニット２０、交流用分電盤ユニット３０、直流用分電盤ユニット４０、交流用接続部５０、直流用接続部６０、交流用ブスバー７０、直流用ブスバー８０、絶縁仕切り部９０、誘導支持部１００、絶縁支持部１１０、母線１２０を備えている。
ここでいう分電盤とは、分電盤以外にも、配電盤、分岐盤、制御盤等を含む概念である。さらに電灯の系統では低圧電灯盤（低圧配電盤）→電灯分電盤→照明器具、コンセントと接続され、動力の系統は低圧動力盤（低圧配電盤）→動力分電盤（一般的には制御があるので動力制御盤）→動力機器に接続される。これら動力・電灯盤用の分電盤も含む概念である。
【００１３】
ラック本体１０は、ラックマウント式構造であって前面に開口部を、また、所定長の奥行を有しており、任意個数の交流用分電盤ユニット３０（例えば、図１（ａ），（ｂ）では１台）や直流用分電盤ユニット４０（例えば、図１（ａ），（ｂ）では２台）を上下に沿って多段に収容できるようになされている。さらに、増設スペース１１も備え、適宜増設できるようになされている。なお、図１（ａ），（ｂ）では上と下で二個の増設スペース１１を備えているが、図示した以外にもより多くの増設スペース１１を有するような構成としても良い。
【００１４】
入力端子ユニット２０は、本形態では、下側（地中）から母線１２０を引き込むため、ラック本体１０の下側に収容されている。交流電力の母線１２０は、交流入力端子２１に接続される。また、直流電力の母線１２０は、直流入力端子２２に接続される。
交流入力端子２１は、交流入力接続部２３を介して、交流用ブスバー７０と電気的に接続される。また、直流入力端子２２は直流入力接続部２４（図２（ｂ）参照）を介して、直流用ブスバー８０と電気的に接続される。
【００１５】
交流用分電盤ユニット３０は、例えば、ヒューズ・ブレーカ等を基盤に集合して取り付けた内部回路としてユニット内に収めたものであり前面に操作部が配置されている。この他にも分岐過電流遮断機（分岐開閉器を兼ねたものを含む。）、電流制限器、漏電遮断器、主過電流遮断器、主開閉器、分岐開閉器という各種の制御機器を内部回路としてユニット内に収容した構成としても良い。この交流用分電盤ユニット３０は、図３（ｂ）で示すように、背面で交流用ブスバー７０と交流用接続部５０を介して接続される。交流用分電盤ユニット３０は、ラック本体１０への挿入後にねじ止め等によりラック本体１０へ取付けられる。
【００１６】
直流用分電盤ユニット４０は、例えば、ヒューズ・ブレーカ等を基盤に集合して取り付けた内部回路として、ユニット内に収めたものであり前面に操作部が配置されている。この他にも分岐過電流遮断機（分岐開閉器を兼ねたものを含む。）、電流制限器、漏電遮断器、主過電流遮断器、主開閉器、分岐開閉器という各種の制御機器を内部回路としてユニット内に収容した構成としても良い。この直流用分電盤ユニット４０は、図３（ｂ）で示すように、背面で直流用ブスバー８０と直流用接続部６０を介して接続される。直流用分電盤ユニット４０は、ラック本体１０への挿入後にねじ止め等によりラック本体１０へ取付けられる。
【００１７】
交流用接続部５０および直流用接続部６０は、図４で示すような構造を有している。これら交流用接続部５０および直流用接続部６０は共通構成であるため、同じ図を用いて以下に説明する。
【００１８】
交流用接続部５０は、図４で示すように、本発明の被コネクタ部である雄側コネクタ５１、本発明のコネクタ部である雌側コネクタ５２を備える。雄側コネクタ５１は、雄側コネクタ本体５１１、接続ガイド５１２、接続ピン５１３、電線部５１４を備える。雌側コネクタ５２は、雌側コネクタ本体５２１、つば部５２２、ガイド孔５２３、第１接続部５２４、第２接続部５２５、絶縁部５２６、ピン受け部５２７を備えている。
【００１９】
直流用接続部６０は、図４で示すように本発明の被コネクタ部である雄側コネクタ６１、本発明のコネクタ部である雌側コネクタ６２を備える。雄側コネクタ６１は、雄側コネクタ本体６１１、接続ガイド６１２、接続ピン６１３、電線部６１４を備える。雌側コネクタ６２は、雌側コネクタ本体６２１、つば部６２２、ガイド孔６２３、第１接続部６２４、第２接続部６２５、絶縁部６２６、ピン受け部６２７を備えている。
【００２０】
雌側コネクタ５２，６２は、図１（ａ），図２（ａ）で示すように、絶縁仕切り部９０に固定されて、図１（ｂ）で示すように、ラック本体１０の奥に配置されている。また、絶縁仕切り部９０の裏側では、図１（ｂ），図２（ｂ）で示すように、交流用ブスバー７０に交流用の雌側コネクタ５２が接続され、また、直流用ブスバー８０に直流用の雌側コネクタ６２が接続される。
【００２１】
雌側コネクタ５２と交流用ブスバー７０との接続について説明する。なお、雌側コネクタ６２と交流用ブスバー８０との接続は同じであるため、重複する説明を省略する。
図５（ａ），（ｂ）で示すように、雌側コネクタ５２は、略Ｌ字状に形成された第１接続部５２４、第２接続部５２５を備えている。第１接続部５２４、第２接続部５２５は折れ曲がり形成されて二面で接触できるため、交流用ブスバー７０と確実に接触させる。第１接続部５２４は、上段では交流用ブスバー７０のブスバーＲ相にのみ接続され、また、第２接続部５２５は、下段では交流用ブスバー７０のブスバーＳ相にのみ接続される。このブスバーＲ相，Ｓ相は、絶縁部５２６が間に挟まれて位置決めがなされるため、第１接続部５２４や第２接続部５２５が正確に接続されるように配慮されている。
雌側コネクタ６２も交流用ブスバー８０に対して同様に接続される。
【００２２】
このような交流用の雌側コネクタ５２，直流用の雌側コネクタ６２は、図１（ａ），図２（ａ）でも明らかなように、左右に一対配置され、さらに図１（ｂ），図２（ｂ）で示すように、対をなす雌側コネクタ５２，６２が上下で複数個（図２（ｂ）では６個）配置される。このような雌側コネクタ５２，６２は交流用ブスバー７０および交流用ブスバー８０に予め接続された状態で工場出荷されるため、使用者側では後述するように雌側コネクタ５２，６２とに交流用ブスバー７０および交流用ブスバー８０との接続をするのではなく、雌側コネクタ５２，６２に雄側コネクタ５１，６１と接続するというものであり、この点でも使用者が活線状態で分電盤ユニットの増設が可能となる。
【００２３】
交流用ブスバー７０および直流用ブスバー８０は、ラック本体１０の背面側に立設される。
絶縁仕切り部９０は、交流用ブスバー７０および直流用ブスバー８０を開口部側から触れることができないように仕切る板状の部材である。絶縁仕切り部９０がない場合は、図３（ａ）で示すように、ラック本体１０の開口部側からも交流用ブスバー７０および直流用ブスバー８０が見える、つまり接触するおそれがあってユニット収容作業時に感電等の危険があるが、本形態では図２（ａ），（ｂ）で示すように開口部側から見て絶縁仕切り部９０が交流用ブスバー７０および直流用ブスバー８０を覆っているため、安全性を確保している。
【００２４】
誘導支持部１００は、ラック本体１０の側面に設けられ、分電盤ユニットをスライド移動させる。本形態では簡単な構造であるＬ字状部材を取付けた構造であるが、スライド移動させられる現用周知の構成を適宜採用できる。
絶縁支持部１１０は、図１（ｂ）で示すように、ラック本体１０の背面近傍に上下で配置されている。交流用ブスバー７０の上下で絶縁支持部１１０によりラック本体１０に固定されており、ラック本体１０と導通しないように配慮されている。図示しないが直流用ブスバー８０も同様に上下で絶縁支持部１１０に固定されている。
母線１２０は、例えば、地中から引き込まれたり、図示しない電源装置などから供給される母線である。
【００２５】
続いて、分電盤ユニットの取付けについて図を参照しつつ説明する。図６では直流用分電盤ユニット４０を取付ける場合について図示している。直流用分電盤ユニット４０を誘導支持部１００に載置し、奥へ押し込む。すると、直流用分電盤ユニット４０の背面にある雄側コネクタ６１と、絶縁仕切り部９０にある雌側コネクタ６２と、が接続される。
【００２６】
接続に際し、図４で示すように、雄側コネクタ６１の接続ガイド６１２が、雌側コネクタ６２のつば部６２２に形成されたガイド孔６２３に差し込まれて誘導される。このような状況下で引き続き押し込まれて、図５（ａ）で示すように、接続ピン６１３がピン受け６２７に嵌め込まれた状態で固定され、電気的に接続される。これにより、母線１２０、直流用ブスバー８０、雌側コネクタ６２、雄側コネクタ６１が連結され、電線部６１４を介して内部回路と電気的に接続される。
【００２７】
このような接続は、交流用分電盤ユニット３０を増設する場合でも同様である。交流用分電盤ユニット３０を誘導支持部１００に載置し、奥へ押し込む。すると、交流用分電盤ユニット３０の背面にある雄側コネクタ５１と、絶縁仕切り部９０にある雌側コネクタ５２と、が接続される。これにより、母線１２０、交流用ブスバー７０、雌側コネクタ５２、雄側コネクタ５１が連結され、電線部５１４を介して内部回路と電気的に接続される。
【００２８】
このように、本形態のユニット式分電盤では、交流用分電盤ユニット３０をラック本体１０に差し込むだけで交流用ブスバー７０に電気的に接続され、同様に直流用分電盤ユニット４０をラック本体１０に差し込むだけで直流用ブスバー８０に電気的に接続されるため、増設作業が容易になっている。
【００２９】
また、交流用分電盤ユニット３０は交流用接続部５０に、また、直流用分電盤ユニット４０は直流用接続部６０に、それぞれ接続されるように接続位置が予め機械的に決定されているため、人間がどの位置に取付ければよいか等を考慮する必要がなく、単に交流用分電盤ユニット３０や直流用分電盤ユニット４０を押し込めば接続されるというものであり、この点でも増設作業が容易になっている。
【００３０】
さらに、一カ所の増設スペース１１に交流用の雌側コネクタ５２と直流用の雌側コネクタ６２を並べて配置し、また、交流用分電盤ユニット３０の背面に雌側コネクタ５１を、また、直流用分電盤ユニット４０の背面に雌側コネクタ６１を、別位置に配置しているため、交流用分電盤ユニット３０または直流用分電盤ユニット４０の何れを増設しても適切に取付けられることとなり、使い勝手が良い。
【００３１】
以上、本形態のユニット式分電盤について説明した。本形態では、二線式の交流・直流のブスバーを有するものとして説明した。しかしながら、他にも三線式の交流のブスバーを用いるような構造としても良い。
また、二線式の交流のみ、三線式の交流のみ、または、二線式の直流のみのブスバーを有するようなユニット式分電盤としても良い。これら構造は適宜選択される。
【図面の簡単な説明】
【００３２】
【図１】本考案を実施するための最良の形態のユニット式分電盤の外観図であって、図１（ａ）は正面図、図１（ｂ）は右側断面図である。
【図２】本考案を実施するための最良の形態のユニット式分電盤の外観図であって、図２（ａ）は正面図、図２（ｂ）は背面図である。
【図３】絶縁仕切り部を取り去った場合のユニット式分電盤の外観図であって、図３（ａ）は正面図、図３（ｂ）は背面図である。
【図４】交流用接続部および直流用接続部の構成斜視図である。
【図５】交流用接続部および直流用接続部の構成図であり、図５（ａ）は平面図、図５（ｂ）は背面図である。
【図６】分電盤ユニットの取付け説明図である。
【符号の説明】
【００３３】
１０：ラック本体
１１：増設スペース
２０：入力端子ユニット
２１：交流入力端子
２２：直流入力端子
２３：交流入力接続部
２４：直流入力接続部
３０：交流用分電盤ユニット
４０：直流用分電盤ユニット
５０：交流用接続部
５１：雄側コネクタ
５１１：雄側コネクタ本体
５１２：接続ガイド
５１３：接続ピン
５１４：電線
５２：雌側コネクタ
５２１：雌側コネクタ本体
５２２：つば部
５２３：ガイド孔
５２４：第１接続部
５２５：第２接続部
５２６：絶縁部
５２７：ピン受け
６０：交流用接続部
６１：雄側コネクタ
６１１：雄側コネクタ本体
６１２：接続ガイド
６１３：接続ピン
６１４：電線
６２：雌側コネクタ
６２１：雌側コネクタ本体
６２２：つば部
６２３：ガイド孔
６２４：第１接続部
６２５：第２接続部
６２６：絶縁部
６２７：ピン受け
７０：交流用ブスバー
８０：直流用ブスバー
９０：絶縁仕切り部
１００：誘導支持部
１１０：絶縁支持部
１２０：母線
【図１】
0003113266.tif 000003
【図２】
0003113266.tif 000004
【図３】
0003113266.tif 000005
【図４】
0003113266.tif 000006
【図５】
0003113266.tif 000007
【図６】
0003113266.tif 000008